(57)【要約】【課題】撮影した枚数を簡単に確認することが可能なデジタルカメラを提供すること。【解決手段】ＣＰＵ２１は、本体の電源投入等により撮影区切り時間の開始を検出してから電源ＯＦＦ等の撮影区切り時間の終了を検出するまでの期間に撮影された画像の撮影枚数を計数して例えばフラッシュメモリ２２に記憶させておき、ＬＣＤ２４にその期間の撮影枚数を表示させる。【選択図】図１
2006262128.tif 000002
【特許請求の範囲】
【請求項１】
撮影区切り時間の開始を検出する開始検出手段と、
上記撮影区切り時間の終了を検出する終了検出手段と、
画像を撮影するための撮影手段と、
上記開始検出手段が上記撮影区切り時間の開始を検出してから、上記終了検出手段が上記撮影区切り時間の終了を検出するまでに、上記撮影手段で撮影された画像の撮影枚数をカウントするカウント手段と、
上記カウント手段によりカウントされた撮影枚数を表示する表示手段と、
を具備したことを特徴とするデジタルカメラ。
【請求項２】
上記開始検出手段は、当該デジタルカメラの本体が起動された時を上記撮影区切り時間の開始として検出し、
上記終了検出手段は、上記本体がオフされた時を上記撮影区切り時間の終了として検出する、
ことを特徴とする請求項１に記載のデジタルカメラ。
【請求項３】
現在時刻を計時するための時計手段と、
上記開始検出手段が上記撮影区切り時間の開始を検出した時の上記時計手段で計時された時刻である開始時刻と、上記終了検出手段が上記撮影区切り時間の終了を検出した時の上記時計手段で計時された時刻である終了時刻と、上記カウント手段でカウントした撮影枚数とを記録する記録手段と、
を更に具備することを特徴とする請求項１に記載のデジタルカメラ。
【請求項４】
上記記録手段に記録された各撮影区切り時間毎の開始時刻、終了時刻及び撮影枚数に基づいて、複数の表示区切り時間毎の撮影枚数を集計し、その集計結果を上記表示手段に一覧表示させる一覧表示手段を更に具備することを特徴とする請求項３に記載のデジタルカメラ。
【請求項５】
上記表示区切り時間は、上記撮影区切り時間の開始時刻から終了時刻までの時間、撮影日、及び当該デジタルカメラの最初の本体の起動時から現在までの時間の何れかを含むことを特徴とする請求項４に記載のデジタルカメラ。
【請求項６】
上記記録手段は、更に、上記撮影手段によって画像を撮影した時の上記時計手段で計時された時刻を撮影日時として記録することを特徴とする請求項３に記載のデジタルカメラ。
【請求項７】
上記記録手段に記録された各撮影区切り時間毎の開始時刻、終了時刻、撮影枚数及び各画像の撮影日時に基づいて、複数の表示区切り時間毎の撮影枚数を集計し、その集計結果を上記表示手段に一覧表示させる一覧表示手段を更に具備することを特徴とする請求項６に記載のデジタルカメラ。
【請求項８】
上記表示区切り時間は、上記撮影区切り時間の開始時刻から終了時刻までの時間、所定の単位時間、撮影日、及び当該デジタルカメラの最初の本体の起動時から現在までの時間の何れかを含むことを特徴とする請求項７に記載のデジタルカメラ。
【発明の詳細な説明】
【技術分野】
【０００１】
本発明は、例えばデジタルスチルカメラやカメラ機能付き携帯電話機におけるカメラ等のデジタルカメラに関する。
【背景技術】
【０００２】
従来、デジタルスチルカメラ等においては、撮影した画像データを記録保存する記録媒体の残容量を撮影可能枚数に換算して、液晶表示装置（ＬＣＤ）に表示するようにしている（例えば、特許文献１参照）。例えば、図５に示すように、ＬＣＤ１００の画面の右上に、残り撮影可能枚数を示す数値１０１が表示される。
【０００３】
また、撮影された画像データは、通し番号でナンバリングされ、記録媒体に記録保存される。
【特許文献１】特開２００３−２４４６１４号公報
【発明の開示】
【発明が解決しようとする課題】
【０００４】
しかしながら、従来の方式では、残り枚数がカウントされ表示されるだけであり、ユーザは、いったい何枚撮影したかを知ることができなかった。
【０００５】
また、撮影された画像データにナンバリングされてはいるが、デジタルカメラ上にて撮影した枚数を簡単に確認することはできない。
【０００６】
本発明は上記のような実情に鑑みてなされたもので、その目的とするところは、ユーザ撮影した枚数を簡単に確認することが可能なデジタルカメラを提供することにある。
【課題を解決するための手段】
【０００７】
請求項１記載の発明は、撮影区切り時間の開始を検出する開始検出手段と、上記撮影区切り時間の終了を検出する終了検出手段と、画像を撮影するための撮影手段と、上記開始検出手段が上記撮影区切り時間の開始を検出してから、上記終了検出手段が上記撮影区切り時間の終了を検出するまでに、上記撮影手段で撮影された画像の撮影枚数をカウントするカウント手段と、上記カウント手段によりカウントされた撮影枚数を表示する表示手段と、を具備したことを特徴とする。
【０００８】
請求項２記載の発明は、上記請求項１記載の発明において、上記開始検出手段は、当該デジタルカメラの本体が起動された時を上記撮影区切り時間の開始として検出し、上記終了検出手段は、上記本体がオフされた時を上記撮影区切り時間の終了として検出する、ことを特徴とする。
【０００９】
請求項３記載の発明は、上記請求項１記載の発明において、現在時刻を計時するための時計手段と、上記開始検出手段が上記撮影区切り時間の開始を検出した時の上記時計手段で計時された時刻である開始時刻と、上記終了検出手段が上記撮影区切り時間の終了を検出した時の上記時計手段で計時された時刻である終了時刻と、上記カウント手段でカウントした撮影枚数とを記録する記録手段と、を更に具備することを特徴とする。
【００１０】
請求項４記載の発明は、上記請求項３記載の発明において、上記記録手段に記録された各撮影区切り時間毎の開始時刻、終了時刻及び撮影枚数に基づいて、複数の表示区切り時間毎の撮影枚数を集計し、その集計結果を上記表示手段に一覧表示させる一覧表示手段を更に具備することを特徴とする。
【００１１】
請求項５記載の発明は、上記請求項４記載の発明において、上記表示区切り時間は、上記撮影区切り時間の開始時刻から終了時刻までの時間、撮影日、及び当該デジタルカメラの最初の本体の起動時から現在までの時間の何れかを含むことを特徴とする。
【００１２】
請求項６記載の発明は、上記請求項３記載の発明において、上記記録手段は、更に、上記撮影手段によって画像を撮影した時の上記時計手段で計時された時刻を撮影日時として記録することを特徴とする。
【００１３】
請求項７記載の発明は、上記請求項６記載の発明において、上記記録手段に記録された各撮影区切り時間毎の開始時刻、終了時刻、撮影枚数及び各画像の撮影日時に基づいて、複数の表示区切り時間毎の撮影枚数を集計し、その集計結果を上記表示手段に一覧表示させる一覧表示手段を更に具備することを特徴とする。
【００１４】
請求項８記載の発明は、上記請求項７記載の発明において、上記表示区切り時間は、上記撮影区切り時間の開始時刻から終了時刻までの時間、所定の単位時間、撮影日、及び当該デジタルカメラの最初の本体の起動時から現在までの時間の何れかを含むことを特徴とする。
【発明の効果】
【００１５】
請求項１記載の発明によれば、ユーザが撮影した枚数を簡単に確認することが可能なデジタルカメラを提供することができる。
【００１６】
請求項２記載の発明によれば、上記請求項１記載の発明の効果に加えて、本体の起動及びオフによって自動的に撮影区切り時間を検出するので、ユーザが特別な操作を行う必要がない。
【００１７】
請求項３記載の発明によれば、上記請求項１記載の発明の効果に加えて、各撮影区切り時間毎の開始時刻、終了時刻及び撮影枚数を記録しておくことで、様々な利用が可能となる。
【００１８】
請求項４記載の発明によれば、上記請求項３記載の発明の効果に加えて、ユーザに様々な形態で撮影枚数を提示できる。
【００１９】
請求項５記載の発明によれば、上記請求項４記載の発明の効果に加えて、各撮影区切り時間の開始時刻から終了時刻までの間の撮影枚数、撮影日つまり一日毎の撮影枚数、及び当該デジタルカメラでの累計撮影枚数、等をユーザに提示できる。
【００２０】
請求項６記載の発明によれば、上記請求項３記載の発明の効果に加えて、各撮影日時を記録しておくことで、更に様々な利用が可能となる。
【００２１】
請求項７記載の発明によれば、上記請求項６記載の発明の効果に加えて、ユーザに更に様々な形態で撮影枚数を提示できる。
【００２２】
請求項８記載の発明によれば、上記請求項７記載の発明の効果に加えて、各撮影区切り時間の開始時刻から終了時刻までの間の撮影枚数、例えば一時間毎のような所定の単位時間当たりの撮影枚数、撮影日つまり一日毎の撮影枚数、及び当該デジタルカメラでの累計撮影枚数、等をユーザに提示できる。
【発明を実施するための最良の形態】
【００２３】
以下、本発明の一実施形態について図面を参照して説明する。
【００２４】
（構成）
図１は、本発明のデジタルカメラの一実施形態としてのデジタルスチルカメラ１０内の電子回路の機能構成について示すものである。
【００２５】
基本モードである撮影（ＲＥＣ）モードでのモニタリング（スルー画像表示）状態においては、モータドライバ１１によるモータ１２の駆動により合焦位置や絞り位置が移動される、撮影レンズを含むレンズブロック１３の撮影光軸後方に配置された撮像素子であるＣＣＤ１４が、タイミング発生器（ＴＧ）１５、垂直／水平ドライバ１６によって走査駆動され、一定周期毎に結像した光像に対応する光電変換出力を１画面分出力する。
【００２６】
この光電変換出力は、ＣＤＳ／ＡＤ回路１７において、アナログ値の信号の状態でＲＧＢの各原色成分毎に適宜ゲイン調整された後に、サンプルホールドされ、デジタルデータに変換され、その後、画像処理回路１８で画素補間処理及びγ補正処理を含むカラープロセス処理が行なわれて、デジタル値の輝度信号Ｙ及び色差信号Ｃｂ，Ｃｒ（ＹＵＶ信号）が生成される。そして、それら生成された輝度及び色差信号は、内部バス１９を介して、バッファメモリとして使用されるＳＤＲＡＭ２０に書き込まれる。
【００２７】
なお、上記ＴＧ１５や画像処理回路１８は、ＣＰＵ２１によって制御されるもので、このＣＰＵ２１で実行される動作プログラムや各種パラメータは、フラッシュメモリ２２に不揮発性に記憶されている。
【００２８】
また、上記画像処理回路１８は、上記生成した輝度及び色差信号（ＹＵＶ信号）を元にビデオ信号を発生して、バックライト（ＢＬ）２３で照明されたＬＣＤ２４に供給する。このＬＣＤ２４は、画像の撮影モード時にはモニタ表示部（電子ファインダ）として機能するもので、上記画像処理回路１８からのビデオ信号に基づいた表示を行なうことで、その時点で撮像素子である上記ＣＣＤ１４が取り込んでいる画像情報に基づく画像をリアルタイムに表示（スルー画像表示）することとなる。
【００２９】
このようにＬＣＤ２４にその時点での撮影可能なスルー画像がリアルタイムに表示されている状態で、静止画撮影を行ないたいタイミングでＫＥＹブロック２５の一部を構成するシャッタキーを操作すると、トリガ信号を発生する。マイコン２６は、このトリガ信号に応じて、ＣＰＵ２１に、その時点でＣＣＤ１４から取り込んでいる１画面分の輝度及び色差信号のＳＤＲＡＭ２０への書き込みを取り止めさせ、あらためて適正な露出条件に従った絞り値及びシャッタ速度でＣＣＤ１４を走査駆動して１画面分の輝度及び色差信号を得てＳＤＲＡＭ２０へ書き込ませ、その後にこの経路を停止し、記録保存の状態に遷移させるようにする。
【００３０】
この記録保存の状態では、ＣＰＵ２１の制御により、画像処理回路１８が内部バス１９を介して、ＳＤＲＡＭ２０に書き込まれている１フレーム分の輝度及び色差信号をＹ，Ｃｂ，Ｃｒの各コンポーネント毎に縦８画素×横８画素の基本ブロックと呼称される単位で読み出して、ＪＰＥＧデータに圧縮する。即ち、ＡＤＣＴ（適応離散コサイン変換）、エントロピ符号化方式であるハフマン符号化、等の処理により、データ圧縮する。そして、得られたＪＰＥＧデータを１撮影画像のデータファイルとして、内部バス１９を介して、このデジタルスチルカメラ１０の記録媒体として着脱自在に装着される外部メモリ２７に書き込む。この外部メモリ２７は、例えば、内部に不揮発性メモリであるフラッシュメモリを封入したカード状の媒体である。
【００３１】
そして、１フレーム分の輝度及び色差信号の圧縮処理と外部メモリ２７への全圧縮データ（ＪＰＥＧデータ）の書き込み終了に伴なって、ＣＰＵ２１は、上記ＣＣＤ１４からＳＤＲＡＭ２０への経路を再び起動する。
【００３２】
なお、上記ＫＥＹブロック２５のシャッタキー操作に応じて適正な露出条件に従った絞り値及びシャッタ速度で撮影を行う場合、必要な光量が得られないときには、上記ＴＧ１５により、その撮影タイミングに同期した撮影補助光をストロボ２８に発生させる。
【００３３】
また、上記マイコン２６には、上記ＫＥＹブロック２５に加えて、バッテリ２９と電源回路３０とが接続されている。ここで、上記ＫＥＹブロック２５は、上述したシャッタキーの他に、電源キー、撮影モードキー、再生モードキー、マクロキー、ストロボキー、メニュー（ＭＥＮＵ）キー、十字キー、及びセット（ＳＥＴ）キー等から構成され、それらのキー操作に伴なう信号は直接マイコン２６へ送出される。バッテリ２９は、電池又は充電池であり、常時上記マイコン２６を動作させるための電力を供給する。電源回路３０は、上記ＫＥＹブロック２５の電源キー操作に応じたマイコン２６からの指示により、上記バッテリ２９の電力から当該デジタルスチルカメラ１０の各部の駆動に必要な各種電圧を生成して、各部に印加するものである。
【００３４】
また、このデジタルスチルカメラ１０は、マイクロホン（ＭＩＣ）３１とスピーカ（ＳＰ）３２を有しており、その制御のための音声チップ３３が上記ＣＰＵ２１に接続されている。即ち、本実施形態に係るデジタルスチルカメラ１０では、上記通常の撮影モードとは別に、上記ＫＥＹブロック２５の撮影モードキーの操作により動画像の撮影も可能に構成されているものである。この動画像の撮影時においては、ＫＥＹブロック２５のシャッタキーが１回目に操作されてから、上述した静止画像データの外部メモリ２７への記録を時間的に連続して実行すると共に、上記ＭＩＣ３１で収集した音声を音声チップ３３により所定の圧縮方式で圧縮した音声データとして、上記外部メモリ２７へ記録していき、上記シャッタキーの２回目の操作がなされるか、または所定の制限時間、例えば３０秒が経過した時点で、外部メモリ２７に記録されている一連の静止画データ及び音声データをモーションＪＰＥＧの動画データファイル（ＡＶＩファイル）として記録設定し直す。
【００３５】
一方、このデジタルスチルカメラ１０においては、再生モード時には、ＣＰＵ２１の制御により、内部バス１９を介して画像処理回路１８が上記外部メモリ２７に記録されている撮影画像データを選択的に読み出して、上記撮影モード時にデータ圧縮した手順と全く逆の手順で圧縮されている画像データを伸長し、その伸長した画像データをＲＧＢ信号に変換して、ＬＣＤ２４に表示する。
【００３６】
なお、選択した撮影画像データが静止画像ではなく動画像であった場合には、選択した動画像データのファイルを構成する個々の静止画像データの再生を時間的に連続して実行すると共に、音声チップ３３により音声をＳＰ３２に再生出力していく。そして、すべての静止画像データの再生を終了した時点で、次に再生の指示がなされるまでその動画像データの先頭に位置する静止画像データのみを用いて再生表示する（このとき、音声は再生出力されない）。
【００３７】
また、このデジタルスチルカメラ１０は、現在日時を計時するための時計３４を備えている。
【００３８】
以上は、一般的なデジタルスチルカメラ１０の構成であるが、本実施形態では、更に、上記フラッシュメモリ２２に、図２（Ａ）に示すような情報を記憶するように構成されている。即ち、本実施形態においては、当該デジタルスチルカメラ１０の本体が起動された時の上記時計３４で計時した日付と起動時刻、当該デジタルスチルカメラ１０の本体がオフされた時のオフ時刻、及び、それら開始時刻と終了時刻との間に撮影された画像データの総数である撮影枚数を、フラッシュメモリ２２に記憶する。また、特に図示はしていないが、このフラッシュメモリ２２には、各画像データを取得した撮影時刻も記憶されるようになっている。
【００３９】
なお、図２（Ａ）では、１２月２１日の午前１０時００分に起動し、８枚の画像データを撮影したが、まだ本体が起動されたままである状況の場合を示している。
【００４０】
（動作）
次に、上記のような構成のデジタルスチルカメラ１０の動作について説明する。
【００４１】
図３は、一実施形態の適用されたデジタルスチルカメラの動作フローチャートを示す図である。
【００４２】
即ち、マイコン２６が本体の上記ＫＥＹブロック２５の電源キーのオン操作を検出して動作開始命令をＣＰＵ２１に与えると、該ＣＰＵ２１はまず、上記マイコン２６を介して時計３４より現在日時を読み出し、それに基づいて日付及び起動時間をフラッシュメモリ２２に書き込む（ステップＳ１１）。これにより、図２（Ａ）に示すように、フラッシュメモリ２２に、撮影日付として例えば「１２月２１日」が、起動時刻として「午前１０時００分」が記録される。そして、撮影モードに移行する（ステップＳ１２）。
【００４３】
その後、マイコン２６からの制御信号の状態により、上記ＫＥＹブロック２５のＭＥＮＵキーの所定の操作によりモード切り替えが指示されたか否かを判別する（ステップＳ１３）。ここで、モード切り替え指示がなされていないと判別した場合には、更に、マイコン２６からの制御信号の状態により、本体の上記ＫＥＹブロック２５の電源キーのオフ操作がなされたか否かを判別する（ステップＳ１４）。そして、電源キーのオフ操作がなされていないと判別した場合には、マイコン２６からの制御信号の状態により、上記ＫＥＹブロック２５のシャッタキー操作による写真撮影が指示されたか否かを判別する（ステップＳ１５）。ここで、写真撮影の指示もなされていないと判別した場合には、上記ステップＳ１３に戻る。
【００４４】
これに対して、写真撮影の指示がなされたと判別した場合には（ステップＳ１５）、写真撮影動作を実行する（ステップＳ１６）。この写真撮影動作においては、上記構成の説明で詳述したようにして、撮影された画像データが外部メモリ２７に保存記録される。そして、上記フラッシュメモリ２２に撮影枚数として記録してある枚数を更新記録する（ステップＳ１７）。これにより、図２（Ａ）に示すように、フラッシュメモリ２２に、撮影枚数として例えば「７」から「８」へ更新記録される。また、上記マイコン２６を介して時計３４より現在日時を読み出し、それに基づいて撮影日時をフラッシュメモリ２２に書き込む（ステップＳ１８）。その後、マイコン２６からの制御信号の状態により、本体の上記ＫＥＹブロック２５の電源キーのオフ操作がなされたか否かを判別する（ステップＳ１９）。ここで、電源キーのオフ操作がなされていないと判別した場合には、上記ステップＳ１３に戻る。
【００４５】
これに対して、このステップＳ１９あるいは上記ステップＳ１４において、電源キーのオフ操作がなされたと判別した場合には、上記マイコン２６を介して時計３４より現在日時を読み出し、それに基づいてオフ時刻をフラッシュメモリ２２に書き込む（ステップＳ２０）。これにより、図２（Ａ）に示すようなフラッシュメモリ２２の記録状態から、図２（Ｂ）に示すような記録状態に更新される。即ち、ＯＦＦ時刻として午前１０時５８分が記録される。そして、この処理を終了する。
【００４６】
一方、上記ステップＳ１３において、モード切り替えが指示されたと判別した場合には、その指示されたモードに移行することになる。ここで、本発明に直接関係しないモードの動作については、その説明を省略し、撮影枚数表示モードが指示された場合についてのみ説明する。
【００４７】
即ち、撮影枚数表示モードが指示されたと判別した場合には（ステップＳ１３）、撮影枚数表示モードに移行して（ステップＳ２１）、まず、フラッシュメモリ２２から上記日付、起動時刻、ＯＦＦ時刻、撮影枚数、撮影日時を読み出す（ステップＳ２２）。そして、それら読み出した情報に基づいて、表示区切り時間に応じた集計を実施して（ステップＳ２３）、その結果を一覧形式でＬＣＤ２４に表示する（ステップＳ２４）。
【００４８】
ここで、本実施形態では、複数種類の表示区切り時間をユーザがＫＥＹブロック２５のＭＥＮＵキー操作により選択できるようになっているが、本実施形態では、起動時刻からＯＦＦ時刻までを初期設定の表示区切り時間としている。従って、この場合には、図２（Ｃ）もしくは図２（Ｄ）に示すような表示が行われる。即ち、図２（Ｃ）は、写真撮影後に撮影枚数表示モードが指示された場合の表示例である。この場合は、上記ステップＳ２０の動作を介していないので、ＯＦＦ時刻が表示されていない。一方、図２（Ｄ）は、起動直後に写真撮影を行うことなく撮影枚数表示モードが指示された場合の表示例である。この場合は、前回の本体ＯＦＦ時に上記ステップＳ２０の動作を実行しているので、ＯＦＦ時刻３５が表示されている。
【００４９】
このような表示を行った後、マイコン２６からの制御信号の状態により、本体の上記ＫＥＹブロック２５のＭＥＮＵキー操作により表示区切り時間の変更選択操作がなされたか否かを判別する（ステップＳ２５）。ここで、そのような表示区切り時間の変更選択の操作が行われていないと判別した場合には、更に、マイコン２６からの制御信号の状態により、本体の上記ＫＥＹブロック２５のＭＥＮＵキー操作によりモード切り替え操作がなされたか否かを判別する（ステップＳ２６）。そして、モード切り替え操作がなされていないと判別したときには、上記ステップＳ２４に戻って一覧表示を続ける。また、モード切り替え操作がなされたと判別した場合には、その指示されたモードに移行する。例えば、撮影モードが指示されと判別した場合には、上記ステップＳ１２に進む。
【００５０】
一方、上記ステップＳ２５において、表示区切り時間の変更選択操作がなされたと判別した場合には、上記ステップＳ２３に戻り、その選択された表示区切り時間に従って集計を行って、一覧表示することになる。
【００５１】
ここで、表示区切り時間の種類としては、初期設定である上記起動時刻からＯＦＦ時刻までの時間、一時間のような所定の単位時間、撮影日、及び当該デジタルスチルカメラ１０の最初の本体起動時から現在までの時間、がある。
【００５２】
即ち、上記起動時刻からＯＦＦ時刻までの時間が選択指定された場合には、図４（Ａ）に示すような集計／表示が行われる。
【００５３】
また、一時間が選択指定された場合には、一時間毎の撮影枚数が集計されて、図４（Ｂ）に示すような表示が行われる。
【００５４】
一方、撮影日が選択指定された場合には、撮影日毎の撮影枚数が集計されて、図４（Ｃ）に示すような表示が行われる。
【００５５】
そして、当該デジタルスチルカメラ１０の最初の本体起動時から現在までの時間が選択指定された場合には、購入してから今まで撮影した撮影枚数が集計されて、図４（Ｄ）に示すような表示が行われる。
【００５６】
（効果）
以上詳述したように、本一実施形態によれば、撮影した枚数をユーザが簡単に確認することが可能なデジタルスチルカメラ１０を提供できる。
【００５７】
従って、起動時間と撮影枚数を明確化することにより、ユーザが例えば旅先にて「前の観光地では何枚撮影して、今の観光地では何枚撮影した」とか、「今の観光地はまだ撮影枚数が少ないからもっと撮影しよう」などといった、撮影枚数の判断を行うために利用できる。
【００５８】
（変形例）
なお、上記一実施形態は、本発明をデジタルスチルカメラに適用した場合について説明したが、本発明はこれに限らず、カメラ付き携帯電話機、カメラ付きＰＤＡ（Personal Digital Assistants：個人向け情報携帯端末）、カメラ付きハンディターミナル、カメラ付きパーソナルコンピュータ、ビデオムービーカメラ等、各種カメラ機能を有する電子機器におけるデジタルカメラとして容易に適応可能となることは勿論である。
【００５９】
その他、本発明は上記実施形態に限らず、その要旨を逸脱しない範囲内で種々変形して実施することが可能であるものとする。
【００６０】
さらに、上記実施形態には種々の段階の発明が含まれており、開示される複数の構成要件における適宜な組み合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００６１】
【図１】図１は、本発明の一実施形態の適用されたデジタルスチルカメラの電子回路の機能構成を示すブロック図である。
【図２】図２（Ａ）は、撮影後のフラッシュメモリの情報記憶状態を示す図、図２（Ｂ）は、電源オフ操作後のフラッシュメモリの情報記憶状態を示す図、図２（Ｃ）は、写真撮影後に撮影枚数表示モードが指示された場合の表示例を示す図であり、図２（Ｄ）は、起動直後に写真撮影を行うことなく撮影枚数表示モードが指示された場合の表示例を示す図である。
【図３】図３は、一実施形態の適用されたデジタルスチルカメラの動作フローチャートを示す図である。
【図４】図４（Ａ）は、表示区切り時間として起動時刻からＯＦＦ時刻までの時間が選択指定された場合の表示例を示す図、図４（Ｂ）は、表示区切り時間として一時間が選択指定された場合の表示例を示す図、図４（Ｃ）は、表示区切り時間として撮影日が選択指定された場合の表示例を示す図であり、図４（Ｄ）は、表示区切り時間として当該デジタルスチルカメラの最初の本体起動時から現在までの時間が選択指定された場合の表示例を示す図である。
【図５】図５は、従来の撮影枚数の提示手法を説明するためのＬＣＤの表示画面を示す図である。
【符号の説明】
【００６２】
１０…デジタルスチルカメラ、  １１…モータドライバ、  １２…モータ、  １３…レンズブロック、  １４…ＣＣＤ、  １５…タイミング発生器（ＴＧ）、  １６…垂直／水平ドライバ、  １７…ＣＤＳ／ＡＤ回路、  １８…画像処理回路、  １９…内部バス、  ２０…ＳＤＲＡＭ、  ２１…ＣＰＵ、  ２２…フラッシュメモリ、  ２３…バックライト（ＢＬ）、  ２４…ＬＣＤ、  ２５…ＫＥＹブロック、  ２６…マイコン、  ２７…外部メモリ、  ２８…ストロボ、  ２９…バッテリ、  ３０…電源回路、  ３１…マイクロホン（ＭＩＣ）、  ３２…スピーカ（ＳＰ）、  ３３…音声チップ、  ３４…時計、  ３５…ＯＦＦ時刻。
【図１】
2006262128.tif 000003
【図２】
2006262128.tif 000004
【図３】
2006262128.tif 000005
【図４】
2006262128.tif 000006
【図５】
2006262128.tif 000007